(57)【要約】【課題】トラカールに通して使う際に引っ掛かりが生じないように硬質挿入管部と湾曲部との連結接続部分が出っ張らないようにし、しかも内蔵物を通すためのスペースを犠牲にすることなく連結接続部分をビス止め固定して優れた組み立て性と分解整備性を確保することができる鏡視下手術用内視鏡の挿入部を提供すること。【解決手段】接続筒体４０に局部的に内方に膨らんだ厚肉部４０ｂを形成して、その厚肉部４０ｂにおいて接続筒体４０に対して硬質パイプ２１の先端と湾曲管の後端３１ａとを各々ビス止め固定すると共に、ビス止め固定部の近傍位置に局部的に細く形成した硬質パイプ２１の細径部２１ａに湾曲部被覆チューブ３４の後端部を緊縛固定し、硬質挿入管部２と湾曲部３との連結接続部分が硬質挿入管部２及び湾曲部３の各表面に対して出っ張らないように構成した。【選択図】　　　図１
2004129747.tif 000002
【特許請求の範囲】
【請求項１】
硬質パイプに外装チューブが被覆されて構成された硬質挿入管部と、遠隔操作によって屈曲する湾曲管に弾力性のある湾曲部被覆チューブが被覆された湾曲部とが、上記硬質パイプの先端部分の内側と上記湾曲管の後端部分の内側とにまたがって配置された接続筒体を介して連結接続された鏡視下手術用内視鏡の挿入部において、
上記接続筒体に局部的に内方に膨らんだ厚肉部を形成して、その厚肉部において上記接続筒体に対して上記硬質パイプの先端と上記湾曲管の後端とを各々ビス止め固定すると共に、
上記ビス止め固定部の近傍位置において上記硬質パイプの外径を局部的に細く形成して、その細径部に上記湾曲部被覆チューブの後端部を緊縛固定し、
上記硬質挿入管部と上記湾曲部との連結接続部分の表面が上記硬質挿入管部及び上記湾曲部の各表面に対して出っ張らないように構成したことを特徴とする鏡視下手術用内視鏡の挿入部。
【発明の詳細な説明】
【０００１】
【発明の属する技術分野】
この発明は、内視鏡観察下に行われる手術の際に、人体に差し込まれたトラカールを経由して体内に挿入される鏡視下手術用内視鏡の挿入部に関する。
【０００２】
【従来の技術】
鏡視下手術用内視鏡の挿入部においては、挿入部を可撓管で構成するとトラカール内等で挿入部が振らついて使い難いので、硬質パイプに外装チューブが被覆された硬質の挿入管を用いた方が使い易い。
【０００３】
そのような鏡視下手術用内視鏡の挿入部には、観察窓が配置されている挿入部の先端の向きを制御するために、遠隔操作によって屈曲する湾曲部を硬質挿入管部の先端に連結接続する必要があり、湾曲部には、弾力性ある湾曲部被覆チューブが被覆される。
【０００４】
そのような湾曲部被覆チューブの端部固定部は、湾曲部が屈曲する度に強い引っ張り力が作用するので、強固に緊縛固定しておく必要がある。なお、硬質挿入管部の外装チューブは、伸縮力が殆ど作用しないので緊縛固定する必要性は低い。
【０００５】
しかし、湾曲部被覆チューブの端部を緊縛固定すると、硬質挿入管部と湾曲部との連結接続部分の外径が局部的に膨らんで出っ張った状態になり、その部分がトラカールの口元等に引っ掛かって非常に使い難くなってしまう場合がある。
【０００６】
そこで、例えば特許文献１に記載されている可撓性内視鏡のように、外径を細く形成した接続口金により可撓管と湾曲部とを連結接続し、その細径部に湾曲部被覆チューブを緊縛固定して、連結接続部が太くならないように構成することも考えられる。
【０００７】
【特許文献１】
特開平２−４６８１９号公報、第１図等
【０００８】
【発明が解決しようとする課題】
しかし、そのよう単に外径を細く形成した接続口金により可撓管と湾曲部とを連結接続するだけでは、接続口金の内径が細くなって光学繊維束などの内蔵物を通すスペースが狭められてしまう。
【０００９】
特に、連結接続部の組み立て性や分解整備性等を考慮して接続口金にビス止め固定のためのネジ代を確保しようとすると、なおさら内部スペースが制約されてしまうので、連結接続部の固定を半田付け等により行わざるを得ず、そのために組み立て性や分解整備性が著しく悪くなってしまう。
【００１０】
そこで本発明は、トラカールに通して使う際に引っ掛かりが生じないように硬質挿入管部と湾曲部との連結接続部分が出っ張らないようにし、しかも内蔵物を通すためのスペースを犠牲にすることなく連結接続部分をビス止め固定して優れた組み立て性と分解整備性を確保することができる鏡視下手術用内視鏡の挿入部を提供することを目的とする。
【００１１】
【課題を解決するための手段】
上記の目的を達成するため、本発明の鏡視下手術用内視鏡の挿入部は、硬質パイプに外装チューブが被覆されて構成された硬質挿入管部と、遠隔操作によって屈曲する湾曲管に弾力性のある湾曲部被覆チューブが被覆された湾曲部とが、硬質パイプの先端部分の内側と湾曲管の後端部分の内側とにまたがって配置された接続筒体を介して連結接続された鏡視下手術用内視鏡の挿入部において、接続筒体に局部的に内方に膨らんだ厚肉部を形成して、その厚肉部において接続筒体に対して硬質パイプの先端と湾曲管の後端とを各々ビス止め固定すると共に、ビス止め固定部の近傍位置において硬質パイプの外径を局部的に細く形成して、その細径部に湾曲部被覆チューブの後端部を緊縛固定し、硬質挿入管部と湾曲部との連結接続部分の表面が硬質挿入管部及び湾曲部の各表面に対して出っ張らないように構成したものである。
【００１２】
【発明の実施の形態】
図面を参照して本発明の実施例を説明する。
図４は、鏡視下手術用内視鏡を示しており、操作部１に基端が連結された硬質挿入管部２の先端には、操作部１からの遠隔操作によって屈曲する湾曲部３が連結されていて、観察窓等が配置された先端部本体４が湾曲部３の先端に連結されている。
【００１３】
湾曲部３は、操作部１に配置された湾曲操作レバー１１を回動操作することによって、二点鎖線で示されるように所定の方向に屈曲する。屈曲方向はこの実施例においては上下２方向である。なお、湾曲部３についての上下方向とは観察視野における上下方向であり、以下同様である。
【００１４】
図５は、先端部本体４の先端面を示しており、被写体像を取り込むための観察窓５の他に、被写体を照明するための照明窓６、及び処置具を突出させるための処置具突出口７が配置されている。
【００１５】
図６は、硬質挿入管部２、湾曲部３及び先端部本体４によって構成される挿入部全体の構造を示しており、硬質挿入管部２と湾曲部３は側面断面が図示され、先端部本体４は観察窓５と処置具突出口７の各中心を通る断面（側面断面に対して約４５°傾いた方向の断面）が図示されている。なお、光学繊維束など各種内蔵物は図示が省略されている。
【００１６】
硬質挿入管部２は、ＶＩＩ−ＶＩＩ断面を図示する図７にも示されるように、例えば断面形状が円形の一本の真っ直ぐなステンレス鋼管等からなる硬質パイプ２１に、例えばポリウレタン樹脂チューブ等のような可撓性チューブからなる外装チューブ２２が被覆されて構成されている。
【００１７】
図７に図示される、５０は撮像信号ケーブル、６０はライトガイドファイババンドル、７０は処置具挿通チャンネルチューブ等の各種内蔵物である。２３は、後述する操作ワイヤ３３を案内するように硬質挿入管部２内に全長にわたって挿通配置されたガイドパイプであり、ステンレス鋼管又は硬質四フッ化エチレン樹脂管等により形成されている。
【００１８】
図６に戻って、湾曲部３の骨組みは、複数（例えば５〜２０個程度）の節輪３１を、ＶＩＩＩ−ＶＩＩＩ断面を図示する図８にも示されるように左右位置でリベット３２により回動自在に連結した湾曲管により形成されている。
【００１９】
そして、上下方向の各位置に配置した一対の操作ワイヤ３３の先端が最先端の節輪３１に固着され、湾曲部３の外表面は、ゴムチューブ等のような弾力性に富んだチューブ材からなる湾曲部被覆チューブ３４によって被覆されている。なお各操作ワイヤ３３は、湾曲部３内においては各節輪３１の上下方向の内周面に取り付けられたガイド環３５内に通して案内されている。
【００２０】
硬質挿入管部２と湾曲部３とは、硬質挿入管部２の硬質パイプ２１の先端部分の内側と湾曲部３の最後端の節輪３１ａの内側とにまたがって配置された金属製の接続筒体４０を介して連結接続されている。
【００２１】
図１は、硬質挿入管部２と湾曲部３との接続部を図示している。ただし、図６と比較して断面方向が９０°相違しており、上下方向に位置する操作ワイヤ３３が中央を通る状態に図示されている。
【００２２】
接続筒体４０は、全体として薄肉の略円筒状であるが、接続筒体４０の先端近傍位置と中間付近の位置のＩＩ−ＩＩ断面及びＩＩＩ−ＩＩＩ断面を図示する図２及び図３に図示されるように、接続筒体４０には左右方向の部分のみに内方に膨らんだ厚肉部４０ｂが形成されていて、固定ビス４１，４２を螺合させるためのネジ孔がその厚肉部４０ｂに形成されている。
【００２３】
したがって、接続筒体４０の内側には各種内蔵物を挿通配置するためのスペースが確保されている。４０ａは、湾曲部３内の後端のガイド環３５との干渉を避けるために接続筒体４０に形成された切り欠きであり、硬質挿入管部２のガイドパイプ２３の先端部分は接続筒体４０の内周面に固着されている。
【００２４】
接続筒体４０は、後半部分が硬質挿入管部２の硬質パイプ２１の先端内に嵌合配置されて左右から一対の固定ビス４１により硬質パイプ２１と固定され、前半部分が湾曲部３の最後端の節輪３１ａ内に嵌合配置されて左右から一対の固定ビス４２により最後端の節輪３１ａと固定されている。したがって、この部分の組み立て及び分解整備等は容易である。
【００２５】
湾曲部３を被覆する湾曲部被覆チューブ３４の後端部分は、上述のように構成された硬質挿入管部２と湾曲部３との連結接続部の固定ビス４１，４２を覆うように配置されて、硬質挿入管部２の硬質パイプ２１の先端近傍の外周面に緊縛固定されている。
【００２６】
硬質パイプ２１には、接続筒体４０との固定のための固定ビス４１の近傍後方位置に外径が局部的に細い細径部２１ａが円周溝状に形成されており、湾曲部３の湾曲部被覆チューブ３４の後端部分がその細径部２１ａに緊縛糸４５により緊縛固定（さらに、必要に応じて接着剤塗布）されている。
【００２７】
したがって、緊縛部分の表面が硬質挿入管部２の外装チューブ２２や湾曲部３の湾曲部被覆チューブ３４の表面より出っ張らず、挿入部を、図示されていないトラカールに対して引っ掛かることなくスムーズに挿脱させることができる。
【００２８】
【発明の効果】
本発明によれば、接続筒体に局部的に内方に膨らんだ厚肉部を形成して、その厚肉部において接続筒体に対して硬質挿入管部の硬質パイプの先端と湾曲管の後端とを各々ビス止め固定したことにより、内蔵物を通すためのスペースを犠牲にすることなく優れた組み立て性と分解整備性を確保することができ、さらに、ビス止め固定部の近傍位置において硬質パイプの外径を局部的に細く形成して、その細径部に湾曲部被覆チューブの後端部を緊縛固定し、硬質挿入管部と湾曲部との連結接続部分の表面が硬質挿入管部及び湾曲部の各表面に対して出っ張らないように構成したことにより、トラカールに対して引っ掛かることなくスムーズに挿脱させることができる。
【図面の簡単な説明】
【図１】本発明の実施例の鏡視下手術用内視鏡の挿入部の硬質挿入管部と湾曲部との連結接続部の正面断面図である。
【図２】本発明の実施例の鏡視下手術用内視鏡の挿入部の図１におけるＩＩ−ＩＩ断面図である。
【図３】本発明の実施例の鏡視下手術用内視鏡の挿入部の図１におけるＩＩＩ−ＩＩＩ断面図である。
【図４】本発明の実施例の鏡視下手術用内視鏡の全体構成の外観を示す側面図である。
【図５】本発明の実施例の鏡視下手術用内視鏡の挿入部の先端面の外観図である。
【図６】本発明の実施例の鏡視下手術用内視鏡の挿入部の側面断面図である。
【図７】本発明の実施例の鏡視下手術用内視鏡の挿入部の図６におけるＶＩＩ−ＶＩＩ断面図である。
【図８】本発明の実施例の鏡視下手術用内視鏡の挿入部の図６におけるＶＩＩＩ−ＶＩＩＩ断面図である。
【符号の説明】
２　硬質挿入管部
３　湾曲部
２１　硬質パイプ
２１ａ　細径部
２２　外装チューブ
３１　節輪（湾曲管）
３１ａ　最後端の節輪
３２　リベット（湾曲管）
３４　湾曲部被覆チューブ
４０　接続筒体
４０ｂ　厚肉部
４１，４２　固定ビス
４５　緊縛糸
【図１】
2004129747.tif 000003
【図２】
2004129747.tif 000004
【図３】
2004129747.tif 000005
【図４】
2004129747.tif 000006
【図５】
2004129747.tif 000007
【図６】
2004129747.tif 000008
【図７】
2004129747.tif 000009
【図８】
2004129747.tif 000010